(57)【特許請求の範囲】
【請求項１】
少なくとも第１サイズの原稿、第２サイズの原稿および第３サイズの原稿を読取可能な画像形成装置であって、
原稿台に載置される原稿の画像を出力する記録紙のサイズを入力する入力手段と、
前記原稿の画像を変倍して出力するか否かを設定する設定手段と、
原稿台に載置される原稿を検出する検出手段と、
前記検出手段の検出状態から前記原稿台に載置される原稿のサイズが前記第１サイズか否かを判定する判定手段と、
前記判定手段によって前記原稿台に載置される原稿のサイズが前記第１サイズでないと判定された場合、前記設定手段によって前記原稿の画像を変倍して出力するように設定されているならば、前記第２サイズ及び前記第３サイズの中から、前記入力手段によって入力された前記記録紙のサイズを除いたサイズを、前記原稿台に載置される原稿のサイズであると決定する決定手段と、
を備えることを特徴とする画像形成装置。
【請求項２】
前記決定手段は、前記第２サイズ及び前記第３サイズの中から、前記入力手段によって入力された前記記録紙のサイズを除いた場合に、１通りに決まるならば、前記第２サイズ及び前記第３サイズの中から、前記入力手段によって入力された前記記録紙のサイズを除いたサイズを前記原稿台に載置される原稿のサイズであると決定する、ことを特徴とする請求項１記載の画像形成装置。
【請求項３】
前記原稿のサイズが前記第２サイズ及び前記第３サイズのいずれであっても前記入力手段によって入力された記録紙のサイズに対して変倍方向が拡大方向または縮小方向の何れか１方向であるのか否かを判別する判別手段をさらに備え、
前記決定手段は、前記第２サイズ及び前記第３サイズの中から、前記入力手段によって入力された前記記録紙のサイズを除いても、１通りに決まらないならば、前記判別手段が前記原稿のサイズが前記第２サイズ及び前記第３サイズのいずれであっても前記入力手段によって入力された記録紙のサイズに対して変倍方向が縮小方向または拡大方向のいずれか１方向であると判別した場合、前記第２サイズ及び前記第３サイズのうち、大きいサイズを原稿のサイズとして決定する、ことを特徴とする請求項１または２記載の画像形成装置。
【請求項４】
前記判別手段が前記原稿のサイズが前記第２サイズ及び前記第３サイズのいずれであっても前記入力手段によって入力された記録紙のサイズに対して変倍方向が縮小方向または拡大方向のいずれか１方向でないと判別した場合、原稿のサイズをユーザに入力させるための画面を表示する表示手段をさらに備える、ことを特徴とする請求項３記載の画像形成装置。
【請求項５】
少なくとも第１サイズの原稿、第２サイズの原稿および第３サイズの原稿を読取可能な画像形成装置における制御方法であって、
原稿台に載置される原稿の画像を出力する記録紙のサイズを入力する入力工程と、
前記原稿の画像を変倍して出力するか否かを設定する設定工程と、
原稿台に載置される原稿を検出する検出工程と、
前記検出工程における検出状態から前記原稿台に載置される原稿のサイズが前記第１サイズか否かを判定する判定工程と、
前記判定工程において前記原稿台に載置される原稿のサイズが前記第１サイズでないと判定された場合、前記設定工程において前記原稿の画像を変倍して出力するように設定されているならば、前記第２サイズ及び前記第３サイズの中から、前記入力工程において入力された前記記録紙のサイズを除いたサイズを、前記原稿台に載置される原稿のサイズであると決定する決定工程と、
を備えることを特徴とする画像形成装置の制御方法。
【請求項６】
請求項５に記載の画像形成装置の制御方法をコンピュータに実行させることを特徴とするプログラム。
【発明の詳細な説明】
【技術分野】
【０００１】
本発明は、画像形成装置、画像形成装置の制御方法およびプログラムに関するものである。
【背景技術】
【０００２】
複写機や、複合機のような画像形成装置では、原稿の画像を読取部によって読み取り、記録紙に出力するコピー機能がある。また、コピー機能の代表的な機能の一つに変倍コピー機能がある。この機能は原稿を拡大/縮小して記録紙に出力する機能である。変倍コピー機能における変倍率の指定方式には、手動変倍指定方式、自動変倍指定方式といった複数種類の指定方式が存在する。
【０００３】
手動変倍指定方式を用いる場合、ユーザは直接倍率（５０％や１５０％等）を入力し。画像形成装置は、入力された倍率に従って画像を拡大または縮小して記録する。
【０００４】
自動変倍指定方式を用いる場合、ユーザが原稿のサイズと記録紙のサイズを指定し、画像形成装置は、指定された原稿のサイズと記録紙のサイズに従って自動的に倍率を決定し、決定された倍率に従って画像を拡大/縮小して記録する方式である。これらの指定方式に従って、コピーの変倍率を決定することが可能となっている。
【０００５】
上記の自動変倍指定方式を使用する場合、変倍率を決定するために原稿のサイズを特定する必要がある。原稿サイズを決定する方法として、ユーザが指定する方法の他に、例えば、読取部に設けられたセンサによって原稿のサイズを検知し、検知した原稿のサイズと記録紙のサイズに従って変倍率を自動的に決定する自動検知方式を採用した装置がある。（特許文献１参照）
【０００６】
このような装置によれば、ユーザが原稿のサイズを入力せずとも、画像形成装置は、原稿のサイズを特定することができる。
【先行技術文献】
【特許文献】
【０００７】
【特許文献１】特開２００１−３０９１６４号公報
【発明の概要】
【発明が解決しようとする課題】
【０００８】
しかしながら、原稿のサイズを検知するセンサの数が少ない装置の場合、センサによって特定できる原稿のサイズが限られてしまう。例えば、Ａ５、Ｂ５、Ａ４サイズの原稿を読取可能な画像形成装置で、読取部に設けられたセンサによって、Ａ４サイズの原稿を特定できるが、Ａ５及びＢ５サイズの原稿を特定できない場合に、従来の装置では、必ずユーザに原稿のサイズを入力させている。そのため、ユーザに、原稿のサイズを入力する手間がかかってしまう。
【０００９】
本発明は、上記の課題を解決するためになされたものである。本発明の目的は、センサによって特定できる原稿のサイズが限られている場合でも、ユーザによる操作手順を可能な限り増やすことなく、原稿のサイズを特定する仕組みを提供することである。
【課題を解決するための手段】
【００１０】
上記目的を達成する本発明の画像形成装置は以下に示す構成を備える。
少なくとも第１サイズの原稿、第２サイズの原稿および第３サイズの原稿を読取可能な画像形成装置であって、原稿台に載置される原稿の画像を出力する記録紙のサイズを入力する入力手段と、前記原稿の画像を変倍して出力するか否かを設定する設定手段と、原稿台に載置される原稿を検出する検出手段と、前記検出手段の検出状態から前記原稿台に載置される原稿のサイズが前記第１サイズか否かを判定する判定手段と、前記判定手段によって前記原稿台に載置される原稿のサイズが前記第１サイズでないと判定された場合、前記設定手段によって前記原稿の画像を変倍して出力するように設定されているならば、前記第２サイズ及び前記第３サイズの中から、前記入力手段によって入力された前記記録紙のサイズを除いたサイズを、前記原稿台に載置される原稿のサイズであると決定する決定手段と、を備えることを特徴とする。
【発明の効果】
【００１１】
本発明によれば、センサによって特定できる原稿のサイズが限られている場合でも、ユーザによる操作手順を可能な限り増やすことなく、原稿のサイズを特定することができる。
【図面の簡単な説明】
【００１２】
【図１】画像形成装置の構成を説明するブロック図である。
【図２】図１に示した操作部の構成を説明する平面図である。
【図３】図１に示した操作部の構成を説明する平面図である。
【図４】画像形成装置における原稿自動検知処理を説明する図である。
【図５】図１に示した操作部に表示される操作画面の一例を示す図である。
【図６】画像形成装置の制御手順を説明するフローチャートである。
【図７】画像形成装置の制御手順を説明するフローチャートである。
【発明を実施するための形態】
【００１３】
次に本発明を実施するための最良の形態について図面を参照して説明する。
＜システム構成の説明＞
〔第１実施形態〕
図１は、本実施形態を示す画像形成装置の構成を説明するブロック図である。本実施形態では、画像形成装置として、複写機を例に説明する。なお、本実施形態では、記録部１０６には、図示しない記録紙を収容するカセットを複数備え、各カセットにセットされた記録紙のサイズ情報を取得することで、カセット内の記録紙のサイズを判別する。以下、原稿の画像を読み取り、画像の変倍処理を行う画像形成装置において、自動変倍指定方式（自動変倍モード）における原稿のサイズの推定と確定の処理について詳述する。
【００１４】
図１において、ＣＰＵ１０１は、システムの制御部であり、装置全体を制御する。ＲＯＭ１０２は、ＣＰＵの制御プログラムを格納するためのものである。ＳＲＡＭ１０３は、オペレータが登録した設定値や装置の管理データ等や各種ワーク用バッファ等を格納するものである。ＤＲＡＭ１０４は、プログラム制御変数等を格納するためのものである。
【００１５】
読取部１０５は、画像データを読み取り、バイナリデータに変換する装置でありこれを用いてコピー機能の原稿読み取りを行なうものである。記録部１０６は、画像データを、記録紙に出力する装置である。操作部１０７は、タッチパネルと一体的に構成された表示部、及びハードキーを備え、操作画面や機器の状態を表示したり、タッチパネルを介してユーザから操作を受け付けたりするインタフェース部である。画像処理部１０８は、コピーで扱う画像データの符号化／復号化処理を行う。コピー画像の変倍処理部もここに含まれる。それぞれの制御部はデータバス１０９を介して繋がっており、画像データはデータバス１０９を通じて転送される。なお、読取部１０５は、フラットベットとなる原稿台（プラテンガラス）を備え、そのプラテンガラスの下方の平面上に原稿サイズを読み取るセンサを備えている。なお、本実施形態に係る画像形成装置は、Ａ４、Ｂ５、Ａ５の３つの定型サイズの原稿を読み取ることができる装置であるとする。すなわち、Ａ３やＢ４のサイズの原稿は、読取部１０５で走査可能な幅を超えているため、正常に読み取ることができないものとする。また、読取部１０５に自動原稿給紙装置（ＡＤＦ）を備えることも可能であるが、本実施形態では自動原稿給紙装置が接続されていない読取部を備える構成とする。
なお、操作部１０７は、原稿の画像を変倍出力するための記録紙のサイズや、自動変倍指定方式（自動変倍モード）、定型変倍指定方式（定型変倍モード）を設定するための各種キーを備える。ここで、各種キーは、ＣＰＵ１０１が、操作部１０７に備える表示部に表示し、これらのキーがユーザによって押下されたことを検知して、押下されたキーに従った設定や処理を行う。なお、定型変倍モードとは、定型サイズでＢ５→Ａ４のような頻繁に利用する可能性の高い定型変倍率を設定するためのキーを表示して、ユーザから使用する定型変倍率を受け付けるモードである。したがって、定型変倍率が同じでも、原稿のサイズと記録紙のサイズがそれぞれ異なる組合せがある。つまり、上記の例でいうと、定型サイズでＢ５→Ａ４と、Ｂ４→Ａ３との関係がこれに該当する。したがって、定型変倍率が指定されても原稿台に載置される原稿のサイズが特定されないと、適切な変倍処理が実現できない場合がある。そこで、後述する第２実施形態では、定型変倍モードが設定された際の原稿のサイズの特定処理について説明する。
【００１６】
このような、読取部１０５によって読み取った画像データを画像処理部１０８で変倍、符号化してＳＲＡＭ１０３に一端格納し、記録部１０６より印刷するような複写機を例として挙げる。以上のような複写機におけるコピー機能の代表的な機能として、変倍コピーがある。また、ＣＰＵ１０１は、プラテンガラスの下方の平面上に原稿サイズを読み取るセンサからの検出処理を受け付け、その検出状態から原稿台に載置された原稿のサイズを特定する処理を行う。変倍コピーは、読取画像をある変倍率に応じて拡大／縮小して記録紙に出力する機能である。
【００１７】
図２は、図１に示した操作部１０７の構成を説明する平面図である。本例は、変倍コピー機能使用時の操作画面例である。なお、図２の（Ａ）は基本メニュー画面２００であり、倍率キー２０１、両面キー、仕上げキー、用紙選択キー、応用モードキーを表示した状態である。図２の（Ｂ）に示す画面は、図２の（Ａ）の画面において、ユーザが倍率キー２０１を押下したことを検出した場合に、ＣＰＵ１０１が操作部１０７に表示する定型変倍設定画面２１０である。図２の（Ｂ）に示す画面では、定型変倍キー２１２として、６つの定型変倍キーを表示した例である。なお、２２０はコピーキーで、コピー処理を開始する際に、ユーザにより押下される。２３０はテンキーである。
【００１８】
図２において、ユーザは倍率キー２０１を押下することで変倍コピー設定の画面に入る。この変倍設定画面では、様々な変倍方法の指定が可能である。
まず、変倍方法の指定の例として、手動変倍指定の方法がある。手動変倍指定は、変倍画面時にユーザがテンキー２３０などで直接倍率を指示する方法である。変倍画面でテンキーにより「１」、「５」、「０」と入力すると１５０％拡大の指示となり、入力された倍率は倍率画面２１１に表示される。この設定でコピーすることにより、入力された原稿は１５０％に拡大されて出力されることになる。
【００１９】
また、別の変倍方法の指定の例として、定型変倍指示がある。定型変倍指示は、定型サイズの大きさの原稿の画像を、他の定型サイズの大きさの記録紙に拡大縮小して記録するための指示である。そのため、よく用いる変倍率をボタンとして配置してあり、ユーザはこの定型変倍キー２１２を押下することで定型サイズから定型サイズへの変倍（例えば１４１％（Ａ５→3fＡ４））を容易に指示できる。
【００２０】
さらに、別の変倍方法の指定の例として、自動変倍指示がある。自動変倍指示は、複写機によって決定された定型サイズの大きさの原稿の画像を、ユーザによって指定されたサイズの記録紙に記録するための指示である。ユーザは変倍画面で、自動変倍キー２１３を押下し、記録紙のサイズを指示する。複写機は、後述する方法で特定したサイズの原稿の画像を自動的に記録紙のサイズに変倍する。本複写機では、これらのような様々な指示方法でコピーの変倍を指定することが可能となっている。
【００２１】
このように変倍コピー機能では、変倍の用途により定型変倍指示や自動変倍指示などの指定の方式を持っている。上記の変倍コピー機能では、原稿サイズが判明しないと正しく動作できないため、原稿サイズ情報が必要となる。
読み取り原稿のサイズを検知する方式としては、操作部よりユーザに指示してもらう手動指定方式と、読み取り部のセンサを用いることによる自動検知方式がある。
【００２２】
〔操作部１０７より入力する手動指定方式の設定方法〕
図３は、図１に示した操作部の構成を説明する平面図である。なお、図３の（Ａ）は操作部１０７の表示部に通常画面を表示した状態であり、（Ｂ）は変倍モードが設定された場合であって、かつ、原稿のサイズを自動的に確定できない画面を操作部１０７の表示部に表示した状態である。特に、操作部１０７の表示部に表示された原稿サイズキー、Ａ４、Ｂ５、Ａ５のいずれかをユーザに選択してもらうための画面表示例であり、ＣＰＵ１０１の表示制御で表示される。
【００２３】
操作部１０７より入力する手動指定方式の場合、コピー設定を行いコピーのスタートキー２２０を押下した時に、操作部で原稿サイズを指示するように促す画面３０２を表示し入力を求める方法である。
【００２４】
〔自動検知方式の設定方法〕
図４は、本実施形態を示す画像形成装置における原稿自動検知処理を説明する図である。図４は、読取部１０５の原稿台（プラテンガラス）下の所定位置に配置される原稿検知センサを用いて原稿サイズを自動的に検知する例である。
【００２５】
図４（Ａ）は、読取部１０５に、原稿のサイズを検知するためのセンサを２つ備える画像形成装置の例である。図４（Ａ）に示すように、読取部にセンサＳ１、Ｓ２が図示されるような位置関係をもって配置され、原稿が読み取り部に置かれた場合にこのセンサＳ１、Ｓ２によって原稿が検知されたかどうかを検知する。センサＳ１を隠すように原稿が置かれた場合、センサＳ１によって原稿が検知され、センサＳ２を隠すように原稿が置かれた場合に、センサＳ２によって原稿が検知される。このセンサＳ１、Ｓ２によって原稿が検知されたかどうかの組み合わせを見ることで、置かれた原稿のサイズを測定する。
【００２６】
以下、図４の状態４１０に示すような位置関係で配置されるセンサＳ１、Ｓ２によって、Ａ４／Ｂ５／Ａ５の３通りの原稿サイズを検知する場合の自動検知方式について説明する
図４の（Ａ）に示すような位置にセンサＳ１、センサＳ２が配置されている場合、読み取り部にＡ４サイズの原稿を置くと、センサＳ１とＳ２に対する原稿の載置状態は状態４１１になる。この場合、センサＳ１，Ｓ２とも載置される原稿によって隠れるためセンサＳ１，Ｓ２ともＯＮ状態になり、この状態を示すセンサ信号がＣＰＵ１０１に通知される。
【００２７】
次に、Ｂ５サイズの原稿を読取部１０５の原稿台に載置した場合の載置状態は状態４１２になる。この場合ではセンサＳ１は載置される原稿で隠れないためＯＦＦとなるが、センサＳ２は載置される原稿で隠れるためＯＮとなり、この状態を示すセンサ信号がＣＰＵ１０１に通知される。
【００２８】
また、Ａ５サイズの原稿を読取部１０５の原稿台に載置した場合の載置状態は状態４１３となる。この場合では、センサＳ１、センサＳ２共に載置される原稿で隠れないためＯＦＦ状態となり、この状態を示すセンサ信号がＣＰＵ１０１に通知される。
【００２９】
図４の（Ａ）に示す例では、このように判別すべき原稿を原稿台に載置した場合にセンサＳ１，Ｓ２に変化が現れるようにセンサＳ１，Ｓ２を原稿台の下側の平面上に配置した例である。この場合、ＣＰＵ１０１は、その結果の組み合わせを見ることで、原稿サイズを自動的に検知する構成となっている。
【００３０】
一方で、図４の（Ｂ）に示すように、原稿のサイズを検知するセンサを１つのみ備える画像形成装置もある。画像形成装置が、１つのセンサしか備えない場合には、検知できないサイズが複数存在し判別できなくなる。この例では、Ａ４サイズの原稿を載置した場合、状態４３１ではセンサＳ１が隠れるのでＯＮとなり、この状態を示すセンサ信号がＣＰＵ１０１に通知される。
【００３１】
しかし、状態４３２に示すようにＢ５サイズの原稿を原稿台に載置した場合、４３３に示すようにＡ５サイズの原稿を載置した場合、センサＳ１は共にＯＦＦとなる。このセンサＳ１の組み合わせ結果だけを見ると、ＣＰＵ１０１は、センサＳ１の結果がＯＦＦの場合は、原稿サイズがＢ５であるのかＡ５であるのかを判断することはできない。  ここで、原稿のサイズが確定しなければ、読取領域を正しく決定することや、記録紙に画像を印刷する際の変倍率を決定することができない。
そこで、センサの信号のみでは確定できない原稿のサイズをユーザに指定してもらう方法がある。その方法について、図５を用いて説明する。
【００３２】
図５は、図１に示した操作部１０７に表示される操作画面の一例を示す図である。
以下、自動変倍指定方式でＡ５サイズの原稿をＡ４サイズの記録紙に自動変倍指定による変倍コピーを行う場合の操作手順を説明する。
【００３３】
まず、コピーの基本画面５１０を介してユーザによって変倍キー５１１が押下されたことを検知すると、ＣＰＵ１０１は操作部１０７の表示部に倍率設定画面５２０を表示する。倍率設定画面５２０において、ＣＰＵ１０１がユーザにより自動変倍キー５２１が押下されたことを検知すると、自動変倍モードを設定する。そして、ＣＰＵ１０１は、画面表示を倍率設定画面５２０から基本画面５３０に戻して、ユーザが押下する用紙選択キー５３１を受け付け、その後、操作部１０７の表示部に用紙選択画面５４０を表示する。
【００３４】
用紙選択画面５４０では、出力紙であるＡ４サイズのカセットが入っているカセットＣ２を選択するため、ユーザはキー５４１を押下してカセットＣ２を選択する。そして、ＣＰＵ１０１は操作部１０７の画面表示を基本画面５５０に戻す。ここで、ユーザがＡ５サイズの原稿を読取部１０５に載置し、コピー処理を開始するためハードキーであるスタートキー２２０を押下する。
【００３５】
ここで、ＣＰＵ１０１は最初に、自動検知方式を用いて原稿サイズを調べるが、図４の（Ｂ）に示す状態４３０であるため、Ａ５サイズの原稿が原稿台に置かれている場合は原稿サイズがＡ５サイズであるのか、Ｂ５サイズであるのかを判定することができない。ここで、従来の画像形成装置の場合、原稿サイズをユーザに指示してもらうため、必ず、操作部１０７の表示部に原稿サイズ指示画面５６０を表示し、原稿サイズの選択をユーザに促す。
【００３６】
そして、読取部１０５の原稿台に置かれている原稿のサイズはＡ５サイズなので、ここで、ユーザはＡ５ボタン５６１を押下し、Ａ５サイズであることを画像形成装置のＣＰＵ１０１に指示する。そして、ＣＰＵ１０１は、操作部１０７の表示部に対して再度基本画面５７０を表示し、ユーザがスタートキー２２０を押下するのを待ち、スタートキー２２０を押下されたことを検知したら、コピー処理を開始する。
【００３７】
以上が図４の（Ｂ）に示すような画像形成装置において、つまり、原稿を検知するセンサの数が１つの場合に、自動変倍指定方式でＡ５サイズの原稿をＡ４サイズの記録紙に変倍コピーを行う場合の操作例である。
【００３８】
この例のような読み取り部のセンサ数が少ないため自動検知方式が充分にできない場合には、図５に示した原稿サイズ指示画面５６０を表示部に表示する。そして、ユーザから原稿のサイズを入力してもらうことによって、画像形成装置は、原稿のサイズを確定することができる。しかしながら、この場合、ユーザは原稿のサイズを入力する必要がある。
【００３９】
そのため、ユーザは原稿サイズが何であるかを必ず把握していなければならず、また必ず操作ステップも増えてしまう。本発明はこのような課題に鑑みてなされたものである。
【００４０】
つまり、センサによる信号に基づいて原稿のサイズを確定できない画像形成装置であっても、変倍コピー時にユーザによる操作ステップを可能な限り減らすことを目的としている。
【００４１】
図６は、本実施形態を示す画像形成装置の制御手順を説明するフローチャートである。本例は、自動変倍コピー時の原稿サイズ指示操作ステップ削減を行うための手順に対応する。なお、各ステップは、ＣＰＵ１０１がＲＯＭ等に記憶される制御プログラムをＤＲＡＭ１０４等にロードして実行することで実現される。なお、以下説明する処理は、原稿を読み取るセンサの数が１つ、すなわち、図４の（Ｂ）に示す構成の画像形成装置における変倍操作処理例である。
自動変倍コピーの設定を開始すると、まず、Ｓ６０１で、原稿が読み取り部にセットされたことをＣＰＵ１０１が確認する。そして、Ｓ６０２で、ＣＰＵ１０１は、操作部１０７の表示部に図５に示した各画面５１０、５２０、５３０、５４０に従う操作画面を表示して、自動変倍設定、記録紙の設定を受け付ける。なお、Ｓ６０１で、ＣＰＵ１０１は、原稿圧板が閉じている状態をセンサ出力から検知している場合、原稿台に原稿がセットされていると判定する。
【００４２】
そして、Ｓ６０３でＣＰＵ１０１がユーザによりハードキーであるスタートキー２２０が押下されたことを確認したら、コピー処理を開始する。
この時、Ｓ６０４で、ＣＰＵ１０１は、読み取り部の自動検知方式によるサイズ判定結果を調べる。ここで、センサＳ１の値から原稿サイズが確定できるかどうかを判断する。ここで、１つのセンサＳ１の値から原稿サイズが確定できると判断した場合は、Ｓ６０５へ進み、自動検知方式で決定した原稿サイズを設定し、この大きさで読み取りを開始する。これは、図４に示した状態４３０で示すように、センサの数が１つの読み取り部において、Ａ４サイズの原稿が置かれた場合などが相当する。この場合、ユーザが操作部１０７に原稿サイズを手動指示することは無い。
【００４３】
一方、Ｓ６０４で、センサＳ１の値から原稿サイズが確定できないとＣＰＵ１０１が判断した場合（不定の場合）は、つまり、センサＳ１がＯＦＦ状態である場合、自動検知方式の結果が不定であるとＣＰＵ１０１が判断してＳ６０６へ進む。
【００４４】
そして、Ｓ６０６で、ＣＰＵ１０１は、原稿サイズが不定となり得るサイズの通り数が１通りからそれ以外の複数通りかを判断する。ここで、不定であった場合に置かれる原稿のサイズが一通りに決まるとＣＰＵ１０１が判断した場合は、Ｓ６０７へ進む。
【００４５】
そして、Ｓ６０７で、ＣＰＵ１０１は、決定された原稿サイズの大きさで読み取りを開始する。これは、図４の（Ｂ）に示した状態４３０のような読み取り部の場合であっても、画像形成装置としてＡ４／Ａ５の判定のみすれば良い画像形成装置である場合は、Ａ４でないことが判明した段階で取りえる原稿サイズがＡ５しかなくなる。このため、ＣＰＵ１０１は原稿のサイズをＡ５として判定できる場合が相当する。この場合も、ＣＰＵ１０１は操作部１０７に原稿サイズを手動指示することをユーザに催促する表示制御は行わない。
【００４６】
一方、Ｓ６０６で、不定の取りえるサイズの候補が複数あるとＣＰＵ１０１が判断した場合は、Ｓ６０８へ進む。
そして、Ｓ６０８で、ＣＰＵ１０１は、不定の取り得る原稿サイズのうち、ユーザにより選択された記録紙のサイズを除去すると１通りになるかを判断する。
ここで、結果として原稿のサイズが一通りに決まるとＣＰＵ１０１が判断した場合は、Ｓ６０９で、ＣＰＵ１０１は、決定された原稿サイズの大きさで読み取りを開始する。
これは、図４の（Ｂ）に示す状態４３０のような読み取り部で、画像形成装置としてＡ４／Ｂ５／Ａ５を判定すべき場合に不定であると、Ａ５／Ｂ５の２通りが考えられるが、記録紙としてユーザがＡ５サイズの記録紙を選択されている場合などが相当する。
【００４７】
つまり、自動変倍コピーが指定されている場合は、原稿を記録紙に変倍することを目的としているため、原稿と記録紙を同じ紙サイズで指定することは稀である。変倍処理を行う場合、つまり、拡大／縮小を目的とした機能のため等倍の可能性は低いとＣＰＵ１０１が判断する。これは、不定の取り得るサイズのうち、ユーザが選択した記録紙のサイズを除去しても問題は無いことが多いことに着目している処理である。
【００４８】
本実施形態では、Ｓ６０８と、Ｓ６０９が上記変倍機能の特性を利用して原稿サイズを絞り込む際の処理に対応するものである。
なお、前述の記録紙のサイズとしてＡ５がユーザから指定されている場合は、不定判定時はＡ５／Ｂ５があり得るが、変倍コピー機能の特性上、原稿がＡ５であることは少ないため、Ｂ５という候補のみが残ることとなる。この場合も、ＣＰＵ１０１は、操作部に原稿サイズを手動指示することをユーザに催促する表示制御は行わない。
【００４９】
一方、Ｓ６０８で、不定時の取り得る原稿サイズ種別から記録紙サイズを除去してもまだ複数候補残るとＣＰＵ１０１が判断した場合は、Ｓ６１０へ進む。
そして、Ｓ６１０で、ＣＰＵ１０１は、残った不定時の取り得る原稿サイズ全てと記録紙のサイズを比較し、変倍方向が全ての通りで拡大方向もしくは縮小方向に限定されているかどうかを判断する。これは、図４の（Ｂ）に示した状態４３０のような読み取り部で、画像形成装置としてＡ４／Ｂ５／Ａ５を判断すべき場合に不定であると、Ａ５／Ｂ５の２通りが考えられるが、記録紙にＡ４を選択されている場合などが相当する。
【００５０】
この場合は、原稿サイズの取り得るサイズＡ５／Ｂ５は、記録紙Ａ４より小さいため、Ａ５／Ｂ５の画像を記録紙Ａ４に記録しようとすると、必ず拡大コピーを行うことになる。この場合、原稿のサイズがＡ５であると推定し、Ａ５の画像をＡ４の記録紙に合うように拡大して記録すると、実際の原稿のサイズがＢ５であった場合に、拡大した画像がＡ４の記録紙からはみ出し、画像が欠けてしまう。ＣＰＵ１０１は、拡大コピー時に原稿データの欠けが発生するのは避けるべきであるため、原稿のサイズを、Ａ５及びＢ５のうち、大きい方のＢ５サイズとして決定する。
【００５１】
このようにすれば実際はＡ５サイズが置かれていたとしても、拡大率は若干合わなくはなるが、原稿の画像の端を欠けたりすることなく出力することが可能である。
【００５２】
同じ理由で縮小方向に限定される場合も、不定時の取り得るサイズのうち最も大きい原稿サイズで読み取りを行えば、誤判定した場合でも原稿の欠けなど無く縮小コピーすることが可能となる。
【００５３】
このように不定時の取り得る原稿サイズ全てと記録紙のサイズとを比較し、全ての通りで拡大方向、縮小方向のいずれか一方に限定される場合、Ｓ６１１で、ＣＰＵ１０１は、取り得る原稿サイズの内最も大きな原稿サイズで読み取りを開始するよう制御する。この場合も、ＣＰＵ１０１は、操作部１０７の表示部に原稿サイズを手動指示することをユーザに催促する表示制御は行わない。
【００５４】
最後に不定時の取り得るサイズが複数候補あり、記録紙と比較しても拡大／縮小の変倍方向にも絞りきれない場合のみ、Ｓ６１２へ進む。そして、Ｓ６１２で、ＣＰＵ１０１は、操作部において原稿サイズを手動指示することをユーザに催促する表示制御を行い、ユーザ指示された原稿サイズで確定される定型変倍複写処理を開始する。つまり、Ｓ６１０で複数の方向、つまり縮小方向および拡大方向の双方向ともあり得る場合に、ＣＰＵ１０１は、初めてユーザに対して載置される原稿のサイズの入力を促す表示制御を実行する。
【００５５】
本実施形態では、原稿サイズを読み取るセンサが１つの場合であって、自動変倍コピー時に、読み取り部の自動検知方式で原稿サイズが確定しない場合であっても、自動変倍コピーの機能の特性を利用して原稿サイズを絞り込む。これにより、自動変倍コピーの指示がされている場合には、ユーザによる原稿サイズの手動指示の手順を極力省くことができる。
【００５６】
なお、上記ステップにおいて、Ｓ６０６からＳ６１２へ、またはＳ６０８からＳ６１２へ移る制御を行う構成としてもよい。つまり、図６に示すステップのうちのいずれかのステップを組み替えても同様の効果が期待できる。
【００５７】
〔第２実施形態〕
上記第１実施形態では、自動変倍指定方式における原稿のサイズの推定と確定の処理について詳述した。本実施形態では、原稿の画像を読み取り、変倍画像処理を行う画像形成装置において、定型変倍指定方式における原稿のサイズの仮決定処理と確定の処理について詳述する。なお、ハードウエアの構成については、第１実施形態と同様であるので詳しい説明は省略する。
【００５８】
図７は、本実施形態を示す画像形成装置の制御手順を説明するフローチャートである。本例は、自動変倍指定方式を利用する場合に、原稿のサイズをユーザが指定するステップを削減するための手順に対応する。なお、各ステップは、ＣＰＵ１０１がＲＯＭ１０２等に記憶される制御プログラムをＤＲＡＭ１０４等にロードして実行することで実現される。
定型変倍コピーの設定を開始すると、まず、Ｓ７０１で、ＣＰＵ１０１は原稿が読取部にセットされたことを検知する。ここで、ＣＰＵ１０１は、読取部１０５の原稿圧板が閉じている状態を、読取部１０５に設けられた不図示の開閉検知センサの出力によって検知している場合に、原稿台に原稿がセットされていると判断する。
【００５９】
次に、Ｓ７０２で、ＣＰＵ１０１は、図２で示した定型変倍キー２１２により変倍率の設定を受付け、さらに記録紙のサイズの設定を受け付ける。そして、Ｓ７０３で、ハードキーであるスタートキー２２０が押下されたことを確認したら、コピー処理を開始する。
【００６０】
次に、Ｓ７０４で、ＣＰＵ１０１は、読取部１０５のセンサによる信号に基づき、原稿のサイズを確定することができるかどうかを判断する。ここで、センサによる信号に基づき、原稿サイズを確定することができるとＣＰＵ１０１が判断した場合、Ｓ７０５で、ＣＰＵ１０１は、確定された原稿のサイズを読取サイズとして設定し、この大きさで読み取りを開始する。
【００６１】
これは、図４の（Ｂ）に示す状態４３０のように、Ａ４サイズの原稿を検知するためのセンサのみを有する読取部に、Ａ４サイズの原稿が置かれた場合に相当する。この場合、ＣＰＵ１０１は、操作部１０７に原稿サイズを手動指示することをユーザに催促する表示制御は行わなくてすむ。
【００６２】
一方、Ｓ７０４で、読取部１０５のセンサによる信号に基づき、原稿のサイズを確定することができないとＣＰＵ１０１が判断した場合、Ｓ７０６に処理を進める。Ｓ７０６で、ＣＰＵ１０１は、Ｓ７０２で指定された記録紙サイズと、Ｓ７０２で定型変倍キー２１２によって指定された変倍率を逆算することによって、原稿のサイズを推定し、推定された原稿のサイズを仮原稿サイズとする。
【００６３】
次に、Ｓ７０７で、ＣＰＵ１０１は、読取部１０５のセンサによる信号に基づき、原稿のサイズを確定することができないとＣＰＵ１０５が判断した場合に取り得る原稿サイズの中に、前述の仮原稿サイズが含まれているかどうかを判断する。ここで、仮原稿サイズが不定時の取り得る原稿サイズに含まれるとＣＰＵ１０１が判断した場合は、Ｓ７０８へ進む。そして、Ｓ７０８で、ＣＰＵ１０１は、仮原稿サイズを、読取サイズとして決定し、決定された読取サイズに従って原稿の画像を読み取る。
【００６４】
Ｓ７０６からＳ７０７、Ｓ７０８に進む例として、記録紙のサイズとしてＡ４サイズが指定され、定型変倍キー２１２で「１４１％：Ａ５→Ａ４」が指定されている場合が挙げられる。
【００６５】
この場合、ユーザはＡ５サイズの原稿を原稿台に載置しているため、図４の（Ｂ）に示す状態４３０のような読取部を持つ画像形成装置のＣＰＵ１０１は、センサからの信号に基づいて原稿のサイズを特定することができない。この場合、画像形成装置が読取可能な定型サイズとしてＡ４／Ｂ５／Ａ５がある場合、センサによって検知できないサイズとしてＡ５／Ｂ５の２通りが考えられる。
【００６６】
ここで、ユーザによって変倍率「１４１％」が指定されているため、１４１％に拡大したときに記録紙のサイズとして指定されたＡ４サイズになるＡ５の可能性が高い。
【００６７】
この場合、不定時の取り得るサイズ（Ａ５、Ｂ５）の中にＡ５が含まれるため、この予想が合っている可能性が高いとＣＰＵ１０１が判断する。このため、ＣＰＵ１０１は、予想したＡ５サイズを原稿のサイズとして確定して、当該確定した原稿のサイズに従って原稿の読み取り処理を開始する。
【００６８】
一方、Ｓ７０７で、逆に、センサによって検知できないサイズの中に仮原稿サイズが含まれないとＣＰＵ１０１が判断した場合はＳ７０９へ進む。この場合、推論した原稿サイズの予想が外れている可能性が高いので、Ｓ７０９で、ＣＰＵ１０１は、操作部１０７において、原稿のサイズを手動指示することをユーザに催促する画面を操作部１０７に表示させる。そして、ＣＰＵ１０１は、ユーザから原稿のサイズの指定を受け付け、受け付けた原稿のサイズに従って原稿を読み取り、読み取った原稿の画像を１４１％に拡大して、Ａ４の記録紙に記録する。
【００６９】
本実施形態によれば、定型変倍指定方式において、読取部のセンサに基づいて原稿のサイズを確定することができない場合であっても、定型変倍指定の特性を利用して仮原稿サイズを決定する。これにより、読取部のセンサによって原稿のサイズを確定できない場合であっても、定型変倍設定によって変倍率が設定されている場合には、当該変倍率と記録紙のサイズに従って原稿のサイズを絞り込む。それによって、センサによって原稿のサイズを確定できない場合であっても、ユーザの操作手順をできる限り減らすことができる。
【００７０】
なお、本発明は、上述した第１実施形態で説明した処理、及び第２実施形態で説明した処理のいずれか一方を実行する画像形成装置であっても、両方を実行可能な画像形成装置であってもよい。
以上、詳細に説明した本発明を適用できる本実施形態により、アプリケーションで扱うデータが異なる場合でも、インストール時にデータ定義ファイルによる不要なデータの削除を伴った移行を行うことが出来る。
【００７１】
本発明の各工程は、ネットワーク又は各種記憶媒体を介して取得したソフトウエア（プログラムをパソコン（コンピュータ等の処理装置（ＣＰＵ、プロセッサにて実行することでも実現できる。
【００７２】
本発明は上記実施形態に限定されるものではなく、本発明の趣旨に基づき種々の変形（各実施形態の有機的な組合せを含むが可能であり、それらを本発明の範囲から除外するものではない。
【符号の説明】
【００７３】
１０１  ＣＰＵ
１０２  ＳＲＡＭ
１０５  読み取り部
【図１】
0005683204.tif 000002
【図２】
0005683204.tif 000003
【図３】
0005683204.tif 000004
【図４】
0005683204.tif 000005
【図５】
0005683204.tif 000006
【図６】
0005683204.tif 000007
【図７】
0005683204.tif 000008